(57)【要約】【課題】水路用コンクリートブロックの底面に突起部を形成して水流の遅いワンドを形成しても、突起部と側板部との間に隙間があると、増水時にワンドが破壊される。【解決手段】底板部２ａと一対の側板部２ｂとで構成され、複数連結することでコンクリート水路を構成する水路用コンクリートブロック２において、底板部２ａと側板部２ｂとの双方に当接して水を塞き止める塞止板部３ａと、塞止板部３ａの下流の流れの遅い部分と流れの速い部分との境界を形成する境界板部３ｂとからなる土溜めブロック３を設ける。【選択図】  図１
2004211473.tif 000002
【特許請求の範囲】
【請求項１】
少なくとも水路のいずれか一方側から立ち上がる側板部により構成され、複数連結することでコンクリート水路を構成する水路用コンクリートブロックにおいて、
前記側板部と水路底部との双方に当接する塞止板部と、前記側板部と略平行であって前記塞止板部の開放端と水路底部との双方に当接する境界板部とを設けて土溜めブロックを形成したことを特徴とする水路用コンクリートブロック。
【請求項２】
前記塞止板部と前記境界板部とを一体化したことを特徴とする請求項１に記載の水路用コンクリートブロック。
【請求項３】
前記境界板部の開放端側が下流側となることを特徴とする請求項１または２に記載の水路用コンクリートブロック。
【請求項４】
前記境界板部の開放端側が下流側となる前記土溜めブロックと、開放端側が上流側となる前記土溜めブロックとの一対の前記土溜めブロックを同一の前記側板部側に取り付け、双方の前記境界板部の開放端どうしを対向させたことを特徴とする請求項１または２に記載の水路用コンクリートブロック。
【請求項５】
前記側板部に対して前記塞止板部を略直角または流水抵抗が小さくなる鋭角に設定したことを特徴とする請求項１〜４のいずれかに記載の水路用コンクリートブロック。
【請求項６】
前記塞止板部と前記境界板部とのうちの少なくともいずれか一方を、多孔質のコンクリートで形成したことを特徴とする請求項１〜５のいずれかに記載の水路用コンクリートブロック。
【請求項７】
一体化した前記土溜めブロックを、前記側板部と、水路底部に底板部を設けた場合は当該底板部とのうちの少なくともいずれか一方に結合したことを特徴とする請求項２〜６のいずれかに記載の水路用コンクリートブロック。
【請求項８】
前記結合は、ピンまたはボルトまたは接着剤、またはこれらの組み合わせ、またはこれらと、前記側板部と前記底板部との少なくともいずれか一方に形成した凹部への前記土溜めブロックの嵌合との組み合わせにより行なったことを特徴とする請求項７に記載の水路用コンクリートブロック。
【請求項９】
請求項１〜８のいずれかに記載の水路用コンクリートブロックを１または２以上結合して構成したことを特徴とするコンクリート水路。
【発明の詳細な説明】
【０００１】
【発明の属する技術分野】
本発明は、水路用コンクリートブロックおよびコンクリート水路に関する。
【０００２】
【従来の技術】
自然界に形成された水路では、増水時には水路の側辺部分が崩壊して氾濫することから、コンクリートブロックを連結して構成したコンクリート水路が設けられる。
【０００３】
自然界に形成された水路では、生態系に配慮するために置石等により水流の速度を変化させて、土溜まりや、深みや、ワンドを形成しており、コンクリート水路においてもワンドを形成するための部分を有する水路用コンクリートブロックが提案されている（例えば、特許文献１参照）。
【０００４】
【特許文献１】
特開平９−２４２０４８号公報（（００１５）（００２６）、図３，図４，図２０〜図２２，図３３）。
【０００５】
特許文献１の図３，図４のようにプレキャストコンクリート２２の底部に、コの字形，Ｌ字形，Ｔ字形の突起部がプレキャストコンクリート２２と一体に形成されており、図２０〜図２２のようにコの字形，Ｌ字形の充填閉塞部体３をプレキャストコンクリート２２の底部に取り付けることが開示されている。
【０００６】
【発明が解決しようとする課題】
ところが、底部に形成した突起部が側壁に接していないため、増水時に側壁と突起部との間の流水により、時間の経過によって突起部で囲まれた部分に生じていた植生基盤が破壊されてしまう。
【０００７】
そこで本発明は、斯かる課題を解決した水路用コンクリートブロックおよびコンクリート水路を提供することを目的とする。
【０００８】
【課題を解決するための手段】
斯かる目的を達成するための請求項１に係る水路用コンクリートブロックの構成は、少なくとも水路のいずれか一方側から立ち上がる側板部により構成され、複数連結することでコンクリート水路を構成する水路用コンクリートブロックにおいて、前記側板部と水路底部との双方に当接する塞止板部と、前記側板部と略平行であって前記塞止板部の開放端と水路底部との双方に当接する境界板部とを設けて土溜めブロックを形成したことを特徴とする。
【０００９】
斯かる水路用コンクリートブロックでは、塞止板部の両側は側板部と境界板部とで囲まれているので、増水時でも植生基盤が破壊されるようなことはない。
【００１０】
請求項２に係る水路用コンクリートブロックの構成は、前記塞止板部と前記境界板部とを一体化したことを特徴とする。
【００１１】
斯かる水路用コンクリートブロックでは、塞止板部と境界板部とを一体化したので煩雑さが解消される。
【００１２】
請求項３に係る水路用コンクリートブロックの構成は、前記境界板部の開放端側が下流側となることを特徴とする。
【００１３】
請求項４に係る水路用コンクリートブロックの構成は、前記境界板部の開放端側が下流側となる前記土溜めブロックと、開放端側が上流側となる前記土溜めブロックとの一対の前記土溜めブロックを同一の前記側板部側に取り付け、双方の前記境界板部の開放端どうしを対向させたことを特徴とする。
【００１４】
請求項５に係る水路用コンクリートブロックの構成は、前記側板部に対して前記塞止板部を略直角または流水抵抗が小さくなる鋭角に設定したことを特徴とする。
【００１５】
斯かる水路用コンクリートブロックでは、側板部に対して塞止板部を略直角または鋭角に設定したので、流水抵抗が小さくなって、水の流れを妨げない。
【００１６】
請求項６に係る水路用コンクリートブロックの構成は、前記塞止板部と前記境界板部とのうちの少なくともいずれか一方を、多孔質のコンクリートで形成したことを特徴とする。
【００１７】
斯かる水路用コンクリートブロックでは、粒子と粒子との隙間を水が流れるので、汚れが粒子に吸着される水の浄化作用と、流速緩和による植生基盤の保護と、ほどよい水の供給とが行なわれる。
【００１８】
請求項７に係る水路用コンクリートブロックの構成は、一体化した前記土溜めブロックを、前記側板部と、水路底部に底板部を設けた場合は当該底板部とのうちの少なくともいずれか一方に結合したことを特徴とする。
【００１９】
斯かる水路用コンクリートブロックでは、土溜めブロックが固定されるため、植生基盤が水に流されることはない。
【００２０】
請求項８に係る水路用コンクリートブロックの構成は、前記結合は、ピンまたはボルトまたは接着剤、またはこれらの組み合わせ、またはこれらと、前記側板部と前記底板部との少なくともいずれか一方に形成した凹部への前記土溜めブロックの嵌合との組み合わせにより行なったことを特徴とする。
【００２１】
請求項９に係るコンクリート水路の構成は、請求項１〜８のいずれかに記載の水路用コンクリートブロックを１または２以上結合して構成したことを特徴とする。
【００２２】
斯かるコンクリート水路では、土溜めブロックを設けることにより植生基盤が形成され、魚の生息場所・休息場所やワンドが形成される。
【００２３】
【発明の実施の形態】
以下、本発明による水路用コンクリートブロックおよびコンクリート水路の実施の形態を説明する。
【００２４】
（ａ）実施の形態１
まず、実施の形態１を図１に示す。
【００２５】
水路用コンクリートブロック１は、ブロック本体２と一対の土溜めブロック３とで構成されている。
【００２６】
ブロック本体２は底板部２ａと、底板部２ａの両側から鉛直方向へ立ち上がる一対の側板部２ｂとで構成される。底板部２ａには２つの四角形の貫通孔２ｃが形成されている。また、側板部２ｂの外側には、凹部２ｄが夫々２つずつ形成されている。
【００２７】
土溜めブロック３は、底板部２ａおよび側板部２ｂの双方に当接すると共に図中の矢印方向へ流れる水を塞き止める塞止板部３ａと、底板部２ａに当接すると共に塞止板部３ａによって塞き止められて流れの遅くなった部分と流れの速い部分との境界を作るための境界板部３ｂと、を一体に形成して構成されている。
【００２８】
ブロック本体２への土溜めブロック３の取り付けについては、本実施の形態では底板部２ａへの境界板部３ｂの結合はピン４を介して行なわれ、側板部２ｂおよび底板部２ａへの塞止板部３ａの結合は接着剤を介して行なわれている。ピン４による結合は、底板部２ａおよび境界板部３ｂに穴を形成し、当該穴の内径寸法と略同じ外形寸法のピン４の一方側が底板部２ａの穴に嵌合され、他方側が境界板部３ｂの穴に嵌合されている。
【００２９】
斯かる水路用コンクリートブロック１の作用を説明する。図１の矢印の方向へ水が流れるものとすると、水の流れは塞止板部３ａによって遮断されるので、塞止板部３ａよりも下流側は水の流れが遅くなり、塞止板部３ａと境界板部３ｂと側板部２ｂとで囲まれた領域に水が滞留する。従って、流速のないこの領域には、水と共に流れてきた土が沈殿する。このため、植生基盤となって植物が生え、魚類が集まる。
【００３０】
（ｂ）実施の形態２
次に、実施の形態２を図２に示す。この実施の形態は実施の形態１の一部を変更したものなので、実施の形態１と異なる部分のみを説明する。
【００３１】
図１は塞止板部３ａを側板部２ｂに単に接着しただけであるが、図２では側板部２ｂの内面に鉛直方向へ長い凹部２ｅを形成し、当該凹部２ｅに土溜めブロック３の塞止板部３ａの側面を嵌合して接着したものである。
【００３２】
その他の構成，作用は実施の形態１と同じなので、説明を省略する。
【００３３】
（ｃ）実施の形態３
次に、実施の形態３を図３に示す。この実施の形態も実施の形態１の一部を変更したものなので、実施の形態１と異なる部分のみを説明する。
【００３４】
図２では側板部２ｂの内面に鉛直方向へ長い凹部２ｅを直接に形成したものであるが、図３は鉛直方向へ長い一対の凸部２ｆを形成することにより、一対の凸部２ｆの間に凹部２ｅを形成し、当該凹部２ｅに土溜めブロック３の塞止板部３ａの側面を嵌合して接着したものである。
【００３５】
その他の構成，作用は実施の形態１と同じなので、説明を省略する。
【００３６】
（ｄ）実施の形態４
次に、実施の形態４を図４に示す。この実施の形態は実施の形態１におけるピン結合の部分をネジ結合に変更したものなので、実施の形態１と異なる部分のみを説明する。
【００３７】
底板部２ａへの境界板部３ｂの結合は、以下のようにして行なわれている。Ｌ字形に曲げると共に孔を形成した取付金具５の前記孔にボルト６を挿通し、当該ボルト６が、境界板部３ｂおよび底板部２ａにねじ込まれている。側板部２ｂおよび底板部２ａへの塞止板部３ａの結合は、実施の形態１と同様に、接着剤を介して行なわれている。
【００３８】
その他の構成，作用は実施の形態１と同じなので説明を省略する。
【００３９】
（ｅ）実施の形態５
次に、実施の形態５を図５に示す。この実施の形態は、実施の形態１の一部を変更したものなので、実施の形態１と異なる部分のみを説明する。
【００４０】
土溜めブロック３における塞止板部３ａの部分が、側板部２ｂに対して流水抵抗が小さくなる角度としての例えばθ＝６０°（鋭角）に設定されている。
【００４１】
このため、側板部２ｂに対して塞止板部３ａが略直角な実施の形態１に比べ、実施の形態５は流水抵抗が小さく、水の流れが円滑になる。
【００４２】
その他の構成，作用は実施の形態１と同じなので説明を省略する。
【００４３】
（ｆ）実施の形態６
次に、実施の形態６を図６に示す。この実施の形態は、一対の土溜めブロック３を並べてブロック本体２に取り付けたものである。
【００４４】
図６に示すように、境界板部３ｂの開放端の部分を下流側に向けた土溜めブロック３と、逆に境界板部３ｂの開放端の部分を上流側に向けた土溜めブロック３とを、境界板部３ｂの開放端どうしを対向させた状態で左方の側板部２ｂ側に取り付けられている。土溜めブロック３の取り付けは、実施の形態１の場合と同じで、ピン４と接着剤とを介して行なわれている。
【００４５】
斯かる水路用コンクリートブロック１では、周囲４方が囲まれた状態のワンドが構成されるため、実施の形態１〜５に係る水路用コンクリートブロック１よりも土が滞留し易い状態となる。
【００４６】
（ｇ）実施の形態７
次に、実施の形態７を図７に示す。この実施の形態は、実施の形態６の一部を改良したものなので、異なる部分のみを説明する。
【００４７】
図７に示すように、境界板部３ｂの開放端どうしを対向させた状態で左方の側板部２ｂ側に取り付けられた一対の土溜めブロック３の開放端どうしの間に、隙間７が設けられている。
【００４８】
斯かる水路用コンクリートブロック１では、周囲４方が囲まれると共に隙間７が形成されているため、流水と共に流れてくる土の流入量が実施の形態６に係る水路用コンクリートブロック１よりも多く、ワンドの形成が一段と高まり、隙間７が魚類の出入り口となる。
【００４９】
（ｈ）実施の形態８〜１４
上記の実施の形態１〜７に係る水路用コンクリートブロック１を１または２以上並べることによって、実施の形態８〜１４に係るコンクリート水路が構成される。
【００５０】
斯かるコンクリート水路では、水路の片側または両側に土溜めブロック３を有するので、植生基盤やワンドが形成される。
【００５１】
なお、実施の形態ではブロック本体が底板部と一対の側板部とからなるコの字形状であって底板部に対して一対の側板部が略直角のものを示したが、一対の側板部が外側へ傾斜したものでも良い。そして、ブロック本体がコの字形状のものを示したが、上面を上面板で塞いだロの字形状のものを用いることもできる。
【００５２】
そして、図９〜１１のように構成することもできる。
【００５３】
図９は、図１の実施の形態１において、貫通孔２ｃが水路用コンクリートブロック２の幅方向に大きく、土溜めブロック３の下面の一部が貫通孔２ｃの上方に位置する場合である。このような場合であっても、貫通孔２ｃ内の土が土溜めブロック３の下面に当接していればよい。
【００５４】
図１０は溝型柵渠であり、コの字形状の位置決め支柱１１を等間隔に立設し、一対の支柱１１の外側に夫々一対形成された凹部１１ａに、側板１２の両端の突出部１２ａを嵌合し、側板１２の外側を土で埋めることで側板１２を積上げた状態を保持し、支柱１１または側板１２に土溜めブロック１３を結合してひとつの水路用コンクリートブロック１４を構成し、当該水路用コンクリートブロック１４を連続的に連結することによりコンクリート水路１５を構成するものである。土溜めブロック１３の下面は支柱１１または土に当接した状態となる。
【００５５】
図１１は、一方の堤防１８にのみ側板１６を設け、当該側板１６に土溜めブロック１７を結合して水路用コンクリートブロック１９およびコンクリート水路２０を形成したものである。ここでも、土溜めブロック１７の下面は土に当接している。一方の堤防だけでなく、他方の堤防にも側板１６と土溜めブロック１７とからなる水路用コンクリートブロックを設けるようにしてもよい。
【００５６】
このほか、土溜めブロックを構成する塞止板部と境界板部とを個別に製作して結合するようにしても良い。
【００５７】
また、実施の形態６・１２における図６、あるいは実施の形態７・１４における図７においても、実施の形態５・１０における図５のように、土溜めブロック３における上流側および下流側の塞止板部３ａの部分を、側板部２ｂに対して流水抵抗が小さくなる角度としての例えばθ＝６０°（鋭角）に設定することができる。
【００５８】
更に、全ての実施の形態において、土溜めブロック３を構成する塞止板部３ａと境界板部３ｂとの少なくともいずれか一方を図８に示す多孔質のコンクリートで構成することもできる。図８において８はコンクリートの粒子、９は隙間である。隙間９を水が流れることにより、水の汚れが粒子８に吸着されて除去され、浄化される。
【００５９】
また更に、土溜めブロック３は、ブロック本体２の側板部２ｂおよび底板部２ａの双方に結合することなく、図１０・１１のようにいずれか一方のみに結合してもよい。
【００６０】
また更に、ピンと接着剤、ピンと接着剤と凹凸嵌合部、ボルトと接着剤による結合の構成を示したが、ピン・ボルト・接着剤のいずれかのみ、あるいはこれらの組み合わせ、あるいはこれらと凹凸嵌合部の組み合わせを任意に用いることができる。
【００６１】
【発明の効果】
以上の説明からわかるように、請求項１に係る水路用コンクリートブロックおよび請求項９に係るコンクリート水路によれば、少なくとも底板部と一対の側板部とで構成される水路用コンクリートブロックに塞止板部と境界板部とからなる土溜めブロックを取り付けたので、土溜めブロックと側板部とで囲まれた部分の水の流れが遅くなり、水路に植生基盤やワンドが形成され、底板部と一対の側板部とがコンクリートという生態系にそぐわない環境下でも、植生・魚類生息という環境に配慮した水路が構成できる。そして、土溜めブロックは水路用コンクリートブロックに結合されていて流されないので、植生基盤が破壊される虞がなく、環境に配慮した状態が長く保持できる。
【図面の簡単な説明】
【図１】本発明による水路用コンクリートブロックの実施の形態１に係り、（ａ）は平面図、（ｂ）は正面図。
【図２】本発明による水路用コンクリートブロックの実施の形態２に係り、（ａ）は平面図、（ｂ）は正面図。
【図３】本発明による水路用コンクリートブロックの実施の形態３に係り、（ａ）は平面図、（ｂ）は正面図。
【図４】本発明による水路用コンクリートブロックの実施の形態４に係り、（ａ）は平面図、（ｂ）は正面図。
【図５】本発明による水路用コンクリートブロックの実施の形態５の平面図。
【図６】本発明による水路用コンクリートブロックの実施の形態６の平面図。
【図７】本発明による水路用コンクリートブロックの実施の形態７の平面図。
【図８】多孔質コンクリートの粒子の拡大図。
【図９】本発明による水路用コンクリートブロックのその他の実施の形態を示す平面図。
【図１０】本発明による水路用コンクリートブロックおよびコンクリート水路のその他の実施の形態を示す斜視図。
【図１１】本発明による水路用コンクリートブロックおよびコンクリート水路のその他の実施の形態を示す斜視図。
【符号の説明】
２…ブロック本体
２ａ…底板部
２ｂ…側板部
２ｅ…凹部
３…土溜めブロック
３ａ…塞止板部
３ｂ…境界板部
４…ピン
６…ボルト
【図１】
2004211473.tif 000003
【図２】
2004211473.tif 000004
【図３】
2004211473.tif 000005
【図４】
2004211473.tif 000006
【図５】
2004211473.tif 000007
【図６】
2004211473.tif 000008
【図７】
2004211473.tif 000009
【図８】
2004211473.tif 000010
【図９】
2004211473.tif 000011
【図１０】
2004211473.tif 000012
【図１１】
2004211473.tif 000013